(57)【要約】【課題】本発明は保温ティーカップを開示した。【解決手段】カップ本体を含み、発熱部品が発熱して温度を制御することができ、封止栓が良い断熱材料で、一定の熱量を遮断でき、第二真空チャンバが蓋を通じて逃げた熱の量を減少でき、一番熱を逃しやすい蓋にも保温機能を設置しており、それによりティーカップの保温効果をより良くさせ、保温ティーカップの中には温度を一定の値に保つことができる加熱部品が設置されており、カップの保温時間を延長し、カップ内の温度が高い時、内部のフィルターに直接接触しないでフィルターを取り出すことができ、やけどすることを防止できる。【選択図】図１
2020179932.tif 000002
【特許請求の範囲】
【請求項１】
正面視で、カップ本体を含み、前記カップ本体の中には保温できる温度保ち控え部品が設置されており、前記温度保ち控え部品は前記カップ主体の内部に設置される第一真空チャンバを含み、前記第一真空チャンバの頂壁には温度を制御することができる発熱部品が固定的に装着されており、前記カップ主体の頂部端面にはステンレス蓋がねじ山により装着されており、前記ステンレス蓋の中には蓋の頂部から熱を逃すことを防止できる第二真空チャンバが設置されており、前記ステンレス蓋の頂部端面にはプラスチック蓋が固定的に装着されており、前記カップ主体の中には貯蔵チャンバが設置されており、前記貯蔵チャンバの中にはフィルターがスライドできるように装着されており、前記フィルターの内側には内溝が設置されており、前記プラスチック蓋の中には前記フィルターを取り上げることに便利を与える取り上げ部品が設置されており、前記取り上げ部品は前記プラスチック蓋と前記ステンレス蓋との間にスライドできるように装着される制御ロッドを含み、前記制御ロッドの底部端面には弾性ロッドが固定的に装着されており、前記弾性ロッドの末端には四つの弾性リングが中心対称的に固定的に装着されており、前記弾性リングが前記フィルターを突き上げて取り出すことができ、前記取り上げ部品はまた前記プラスチック蓋の中に設置される第一制御チャンバを含み、前記第一制御チャンバの左側には第二制御チャンバが設置されており、前記第二制御チャンバと前記第一制御チャンバとの間には前記制御ロッドを引っ掛からせることができる制御スライドロッドがスライドできるように設置されており、前記第一制御チャンバの底壁には前記制御ロッドを上へ復帰させることができる弾性片がスライドできるように装着されていることを特徴とする保温ティーカップ。
【請求項２】
前記温度保つ控え部品はまた前記カップ主体の左側内壁に設置される充電口を含み、前記第一真空チャンバの底壁には電池が固定的に装着されており、前記電池が前記発熱部品に電力を供給でき、前記ステンレス蓋の中には封止栓が固定的に装着されており、前記発熱部品が発熱して温度を制御することができ、前記封止栓が良い断熱材料で、一定の熱量を遮断でき、前記第二真空チャンバが蓋を通じて逃げた熱の量を減少できることを特徴とする請求項１に記載の保温ティーカップ。
【請求項３】
前記取り上げ部品はまた前記制御ロッドの頂部端面に固定的に装着される第一押しボタンを含み、前記第一制御チャンバの左右内壁の間にはリミットブロックが左右対称的に固定的に装着されており、前記制御ロッドには第一固定棒状体が固定的に装着されており、前記第一固定棒状体が前記制御スライドロッドとスライドできるように装着されており、前記制御ロッドのうち前記第一固定棒状体の下側に位置するところには第二固定棒状体が固定的に装着されており、前記第二固定棒状体が前記弾性片とスライドできるように装着されており、前記弾性リングには開口溝が設置されており、前記ステンレス蓋の底部端面には固定ブロックが固定的に装着されており、前記固定ブロックの中には制御溝が設置されており、前記固定ブロックと前記弾性リングとの間には密封を行える密封膜が固定的に装着されており、前記第二制御チャンバの前後内壁の間には揺蕩ロッドがヒンジにより装着されており、前記揺蕩ロッドにはスライド溝が設置されており、前記スライド溝が前記制御スライドロッドとスライドできるように装着されており、前記揺蕩ロッドの右側端面と前記第二制御チャンバの右側内壁との間には推し動かしばねが固定的に装着されており、前記第二制御チャンバと前記プラスチック蓋の左側端面との間にはスライド軸がスライドできるように装着されており、前記スライド軸の左側端面には第二押しボタンが固定的に装着されており、前記フィルターを取る時、前記制御ロッドを押し、前記制御ロッドが前記弾性ロッドと前記弾性リングとを推し動かして下へ運動させ、前記弾性リングが前記弾性ロッドに押し開かれて前記内溝の中に引っ掛かり、前記ステンレス蓋を回すと前記ステンレス蓋を前記フィルターと一緒にカップ主体から取り出すことができ、前記第二押しボタンを押し、前記第二押しボタンが前記制御スライドロッドを制御して前記第一固定棒状体に引っ掛からせなく、前記弾性片が前記制御ロッドを推し動かして上へ運動させ、前記制御ロッドが上へ運動し、それにより前記弾性ロッドと前記弾性リングとが収縮され、前記フィルターを放し、フィルターが放された後、貯蔵チャンバからフィルターを取り出すことを特徴とする請求項１に記載の保温ティーカップ。
【発明の詳細な説明】
【技術分野】
【０００１】
本発明は生活用品分野に関わり、具体的には保温ティーカップである。
【背景技術】
【０００２】
人々に使用されている保温ティーカップに白湯を入れる時、熱が主に蓋から逃げ、今までの保温ティーカップは蓋の保温効果が非常に悪く、熱を逃がしやすく、また保温ティーカップの中の温度が高く、人が内部のフィルターを取る時に常に手をやけどする。
【先行技術文献】
【特許文献】
【０００３】
【特許文献１】中国特許出願公開第１０３６５４１７５号明細書
【発明の概要】
【発明が解決しようとする課題】
【０００４】
本発明は保温ティーカップを提供し、既存技術の中の上記欠点を解消することを目的とする。
【課題を解決するための手段】
【０００５】
本発明実施例の保温ティーカップは、カップ本体を含み、前記カップ本体の中には保温できる温度保ち控え部品が設置されており、前記温度保ち控え部品は前記カップ主体の内部に設置される第一真空チャンバを含み、前記第一真空チャンバの頂壁には温度を制御することができる発熱部品が固定的に装着されており、前記カップ主体の頂部端面にはステンレス蓋がねじ山により装着されており、前記ステンレス蓋の中には蓋の頂部から熱を逃すことを防止できる第二真空チャンバが設置されており、前記ステンレス蓋の頂部端面にはプラスチック蓋が固定的に装着されており、前記カップ主体の中には貯蔵チャンバが設置されており、前記貯蔵チャンバの中にはフィルターがスライドできるように装着されており、前記フィルターの内側には内溝が設置されており、前記プラスチック蓋の中には前記フィルターを取り上げることに便利を与える取り上げ部品が設置されており、前記取り上げ部品は前記プラスチック蓋と前記ステンレス蓋との間にスライドできるように装着される制御ロッドを含み、前記制御ロッドの底部端面には弾性ロッドが固定的に装着されており、前記弾性ロッドの末端には四つの弾性リングが中心対称的に固定的に装着されており、前記弾性リングが前記フィルターを突き上げて取り出すことができ、前記取り上げ部品はまた前記プラスチック蓋の中に設置される第一制御チャンバを含み、前記第一制御チャンバの左側には第二制御チャンバが設置されており、前記第二制御チャンバと前記第一制御チャンバとの間には前記制御ロッドを引っ掛からせることができる制御スライドロッドがスライドできるように設置されており、前記第一制御チャンバの底壁には前記制御ロッドを上へ復帰させることができる弾性片がスライドできるように装着されている。
【０００６】
更に、前記温度保つ控え部品はまた前記カップ主体の左側内壁に設置される充電口を含み、前記第一真空チャンバの底壁には電池が固定的に装着されており、前記電池が前記発熱部品に電力を供給でき、前記ステンレス蓋の中には封止栓が固定的に装着されている。
【０００７】
更に、前記取り上げ部品はまた前記制御ロッドの頂部端面に固定的に装着される第一押しボタンを含み、前記第一制御チャンバの左右内壁の間にはリミットブロックが左右対称的に固定的に装着されており、前記制御ロッドには第一固定棒状体が固定的に装着されており、前記第一固定棒状体が前記制御スライドロッドとスライドできるように装着されており、前記制御ロッドのうち前記第一固定棒状体の下側に位置するところには第二固定棒状体が固定的に装着されており、前記第二固定棒状体が前記弾性片とスライドできるように装着されており、前記弾性リングには開口溝が設置されており、前記ステンレス蓋の底部端面には固定ブロックが固定的に装着されており、前記固定ブロックの中には制御溝が設置されており、前記固定ブロックと前記弾性リングとの間には密封を行える密封膜が固定的に装着されており、前記第二制御チャンバの前後内壁の間には揺蕩ロッドがヒンジにより装着されており、前記揺蕩ロッドにはスライド溝が設置されており、前記スライド溝が前記制御スライドロッドとスライドできるように装着されており、前記揺蕩ロッドの右側端面と前記第二制御チャンバの右側内壁との間には推し動かしばねが固定的に装着されており、前記第二制御チャンバと前記プラスチック蓋の左側端面との間にはスライド軸がスライドできるように装着されており、前記スライド軸の左側端面には第二押しボタンが固定的に装着されている。
【発明の効果】
【０００８】
本発明の有益な効果は：本発明は一番熱を逃しやすい蓋にも保温機能を設置しており、それによりティーカップの保温効果をより良くさせ、保温ティーカップの中には温度を一定の値に保つことができる加熱部品が設置されており、カップの保温時間を延長し、カップ内の温度が高い時、内部のフィルターに直接接触しないでフィルターを取り出すことができ、やけどすることを防止でき、普及する価値がある。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の全体構造概略図
【図２】図２は図１のＡ―Ａ方向の断面構造概略図
【図３】図３は図１のＢのところの拡大構造概略図
【発明を実施するための形態】
【００１１】
図１〜３を参照し、本発明実施例の保温ティーカップは、カップ本体１０を含み、前記カップ本体１０の中には保温できる温度保ち控え部品８０が設置されており、前記温度保ち控え部品８０は前記カップ主体１０の内部に設置される第一真空チャンバ１１を含み、前記第一真空チャンバ１１の頂壁には温度を制御することができる発熱部品４１が固定的に装着されており、前記カップ主体１０の頂部端面にはステンレス蓋１９がねじ山により装着されており、前記ステンレス蓋１９の中には蓋の頂部から熱を逃すことを防止できる第二真空チャンバ２２が設置されており、前記ステンレス蓋１９の頂部端面にはプラスチック蓋３２が固定的に装着されており、前記カップ主体１０の中には貯蔵チャンバ１２が設置されており、前記貯蔵チャンバ１２の中にはフィルター１３がスライドできるように装着されており、前記フィルター１３の内側には内溝１５が設置されており、前記プラスチック蓋３２の中には前記フィルター１３を取り上げることに便利を与える取り上げ部品８１が設置されており、前記取り上げ部品８１は前記プラスチック蓋３２と前記ステンレス蓋１９との間にスライドできるように装着される制御ロッド２４を含み、前記制御ロッド２４の底部端面には弾性ロッド３１が固定的に装着されており、前記弾性ロッド３１の末端には四つの弾性リング１７が中心対称的に固定的に装着されており、前記弾性リング１７が前記フィルター１３を突き上げて取り出すことができ、前記取り上げ部品８１はまた前記プラスチック蓋３２の中に設置される第一制御チャンバ２７を含み、前記第一制御チャンバ２７の左側には第二制御チャンバ３４が設置されており、前記第二制御チャンバ３４と前記第一制御チャンバ２７との間には前記制御ロッド２４を引っ掛からせることができる制御スライドロッド２５がスライドできるように設置されており、前記第一制御チャンバ２７の底壁には前記制御ロッド２４を上へ復帰させることができる弾性片３０がスライドできるように装着されている。
【００１２】
前記温度保つ控え部品８０はまた前記カップ主体１０の左側内壁に設置される充電口４２を含み、前記第一真空チャンバ１１の底壁には電池４０が固定的に装着されており、前記電池４０が前記発熱部品４１に電力を供給でき、前記ステンレス蓋１９の中には封止栓２０が固定的に装着されており、それにより発熱部品４１が発熱して温度を制御することができ、封止栓２０が良い断熱材料で、一定の熱量を遮断でき、第二真空チャンバ２２が蓋を通じて逃げた熱の量を減少できる。
【００１３】
前記取り上げ部品８１はまた前記制御ロッド２４の頂部端面に固定的に装着される第一押しボタン２３を含み、前記第一制御チャンバ２７の左右内壁の間にはリミットブロック２９が左右対称的に固定的に装着されており、前記制御ロッド２４には第一固定棒状体２６が固定的に装着されており、前記第一固定棒状体２６が前記制御スライドロッド２５とスライドできるように装着されており、前記制御ロッド２４のうち前記第一固定棒状体２６の下側に位置するところには第二固定棒状体２８が固定的に装着されており、前記第二固定棒状体２８が前記弾性片３０とスライドできるように装着されており、前記弾性リング１７には開口溝３３が設置されており、前記ステンレス蓋１９の底部端面には固定ブロック１８が固定的に装着されており、前記固定ブロック１８の中には制御溝２１が設置されており、前記固定ブロック１８と前記弾性リング１７との間には密封を行える密封膜１６が固定的に装着されており、前記第二制御チャンバ３４の前後内壁の間には揺蕩ロッド３５がヒンジにより装着されており、前記揺蕩ロッド３５にはスライド溝３６が設置されており、前記スライド溝３６が前記制御スライドロッド２５とスライドできるように装着されており、前記揺蕩ロッド３５の右側端面と前記第二制御チャンバ３４の右側内壁との間には推し動かしばね３８が固定的に装着されており、前記第二制御チャンバ３４と前記プラスチック蓋３２の左側端面との間にはスライド軸３７がスライドできるように装着されており、前記スライド軸３７の左側端面には第二押しボタン３９が固定的に装着されており、それによりフィルター１３を取る時、制御ロッド２４を押し、制御ロッド２４が弾性ロッド３１と弾性リング１７とを推し動かして下へ運動させ、推し動かしばね３８が揺蕩ロッド３５を推し動かして回転させ、揺蕩ロッド３５が制御スライドロッド２５を推し動かして第一固定棒状体２６を引っ掛からせ、制御ロッド２４がロック状態にあり、弾性リング１７が弾性ロッド３１に押し開かれて内溝１５の中に引っ掛かり、ステンレス蓋１９を回すとステンレス蓋１９をフィルター１３と一緒にカップ主体１０から取り出すことができ、第二押しボタン３９を押し、第二押しボタン３９がスライド軸３７を推し動かして右へ運動させ、スライド軸３７が揺蕩ロッド３５を推し動かして回転させ、揺蕩ロッド３５が制御スライドロッド２５を連動させて左へ運動させ、それにより制御スライドロッド２５が第一固定棒状体２６に引っ掛からなくなり、弾性片３０が制御ロッド２４を推し動かして上へ運動させ、制御ロッド２４が上へ運動し、それにより弾性ロッド３１と弾性リング１７とが収縮され、フィルター１３を放し、フィルター１３が放された後、貯蔵チャンバ１２からフィルター１３を取り出すことができる。
【００１４】
使用する時、発熱部品４１が発熱して温度を制御することができ、封止栓２０が良い断熱材料で、一定の熱を遮断でき、第二真空チャンバ２２が蓋を通じて逃げた熱の量を減少でき、フィルター１３を取る時、制御ロッド２４を押し、制御ロッド２４が弾性ロッド３１と弾性リング１７とを推し動かして下へ運動させ、推し動かしばね３８が揺蕩ロッド３５を推し動かして回転させ、揺蕩ロッド３５が制御スライドロッド２５を推し動かして第一固定棒状体２６を引っ掛からせ、制御ロッド２４がロック状態にあり、弾性リング１７が弾性ロッド３１に押し開かれて内溝１５の中に引っ掛かり、ステンレス蓋１９を回すとステンレス蓋１９をフィルター１３と一緒にカップ主体１０から取り出すことができ、第二押しボタン３９を押し、第二押しボタン３９がスライド軸３７を推し動かして右へ運動させ、スライド軸３７が揺蕩ロッド３５を推し動かして回転させ、揺蕩ロッド３５が制御スライドロッド２５を連動させて左へ運動させ、それにより制御スライドロッド２５が第一固定棒状体２６に引っ掛からなくなり、弾性片３０が制御ロッド２４を推し動かして上へ運動させ、制御ロッド２４が上へ運動し、それにより弾性ロッド３１と弾性リング１７とが収縮され、フィルター１３を放し、フィルター１３が放された後、貯蔵チャンバ１２からフィルター１３を取り出すことができる。
【００１５】
本発明の有益な効果は：本発明は一番熱を逃しやすい蓋にも保温機能を設置しており、それによりティーカップの保温効果をより良くさせ、保温ティーカップの中には温度を一定の値に保つことができる加熱部品が設置されており、カップの保温時間を延長し、カップ内の温度が高い時、内部のフィルターに直接接触しないでフィルターを取り出すことができ、やけどすることを防止でき、普及する価値がある。
【００１６】
当業者が明確できることは、本発明の総体精神及び構想から離脱しない場合で、上記実施例に対して様々な変型を行うことができる。それらの変型はいずれも本発明の保護範囲に含む。本発明の保護方案は本発明に添付した請求項を基準とする。
【図１】
2020179932.tif 000003
【図２】
2020179932.tif 000004
【図３】
2020179932.tif 000005
【手続補正書】
【提出日】令和1年9月28日(2019.9.28)
【手続補正１】
【補正対象書類名】特許請求の範囲
【補正対象項目名】全文
【補正方法】変更
【補正の内容】
【特許請求の範囲】
【請求項１】
正面視で、カップ本体を含み、前記カップ本体の中には保温できる温度保ち控え部品が設置されており、前記温度保ち控え部品は前記カップ主体の内部に設置される第一真空チャンバを含み、前記第一真空チャンバの頂壁には温度を制御することができる発熱部品が固定的に装着されており、前記カップ主体の頂部端面にはステンレス蓋がねじ山により装着されており、前記ステンレス蓋の中には蓋の頂部から熱を逃すことを防止できる第二真空チャンバが設置されており、前記ステンレス蓋の頂部端面にはプラスチック蓋が固定的に装着されており、前記カップ主体の中には貯蔵チャンバが設置されており、前記貯蔵チャンバの中にはフィルターがスライドできるように装着されており、前記フィルターの内側には内溝が設置されており、前記プラスチック蓋の中には前記フィルターを取り上げることに便利を与える取り上げ部品が設置されており、前記取り上げ部品は前記プラスチック蓋と前記ステンレス蓋との間にスライドできるように装着される制御ロッドを含み、前記制御ロッドの底部端面には弾性ロッドが固定的に装着されており、前記弾性ロッドの末端には四つの弾性リングが中心対称的に固定的に装着されており、前記弾性リングが前記フィルターを突き上げて取り出すことができ、前記取り上げ部品はまた前記プラスチック蓋の中に設置される第一制御チャンバを含み、前記第一制御チャンバの左側には第二制御チャンバが設置されており、前記第二制御チャンバと前記第一制御チャンバとの間には前記制御ロッドを引っ掛からせることができる制御スライドロッドがスライドできるように設置されており、前記第一制御チャンバの底壁には前記制御ロッドを上へ復帰させることができる弾性片がスライドできるように装着されており、
前記温度保つ控え部品はまた前記カップ主体の左側内壁に設置される充電口を含み、前記第一真空チャンバの底壁には電池が固定的に装着されており、前記電池が前記発熱部品に電力を供給でき、前記ステンレス蓋の中には封止栓が固定的に装着されており、前記発熱部品が発熱して温度を制御することができ、前記封止栓が良い断熱材料で、一定の熱量を遮断でき、前記第二真空チャンバが蓋を通じて逃げた熱の量を減少でき、
前記取り上げ部品はまた前記制御ロッドの頂部端面に固定的に装着される第一押しボタンを含み、前記第一制御チャンバの左右内壁の間にはリミットブロックが左右対称的に固定的に装着されており、前記制御ロッドには第一固定棒状体が固定的に装着されており、前記第一固定棒状体が前記制御スライドロッドとスライドできるように装着されており、前記制御ロッドのうち前記第一固定棒状体の下側に位置するところには第二固定棒状体が固定的に装着されており、前記第二固定棒状体が前記弾性片とスライドできるように装着されており、前記弾性リングには開口溝が設置されており、前記ステンレス蓋の底部端面には固定ブロックが固定的に装着されており、前記固定ブロックの中には制御溝が設置されており、前記固定ブロックと前記弾性リングとの間には密封を行える密封膜が固定的に装着されており、前記第二制御チャンバの前後内壁の間には揺蕩ロッドがヒンジにより装着されており、前記揺蕩ロッドにはスライド溝が設置されており、前記スライド溝が前記制御スライドロッドとスライドできるように装着されており、前記揺蕩ロッドの右側端面と前記第二制御チャンバの右側内壁との間には推し動かしばねが固定的に装着されており、前記第二制御チャンバと前記プラスチック蓋の左側端面との間にはスライド軸がスライドできるように装着されており、前記スライド軸の左側端面には第二押しボタンが固定的に装着されており、前記フィルターを取る時、前記制御ロッドを押し、前記制御ロッドが前記弾性ロッドと前記弾性リングとを推し動かして下へ運動させ、前記弾性リングが前記弾性ロッドに押し開かれて前記内溝の中に引っ掛かり、前記ステンレス蓋を回すと前記ステンレス蓋を前記フィルターと一緒にカップ主体から取り出すことができ、前記第二押しボタンを押し、前記第二押しボタンが前記制御スライドロッドを制御して前記第一固定棒状体に引っ掛からせなく、前記弾性片が前記制御ロッドを推し動かして上へ運動させ、前記制御ロッドが上へ運動し、それにより前記弾性ロッドと前記弾性リングとが収縮され、前記フィルターを放し、フィルターが放された後、貯蔵チャンバからフィルターを取り出すことを特徴とする保温ティーカップ。